(57)【特許請求の範囲】
【請求項１】
ネットワーク同士を接続するためのアクセスポイントであって、ＰＣやネットワークと接続可能な有線ＬＡＮコントローラと、無線モジュールと接続可能な無線ＬＡＮコントローラと、上記有線ＬＡＮコントローラ又は上記無線ＬＡＮコントローラを制御する為の接続先アドレスを含む初期の設定情報を格納する第１格納手段と、ユーザによって接続先アドレスが変更された上記設定情報を格納する第２格納手段と、上記有線ＬＡＮコントローラ又は上記無線ＬＡＮコントローラを上記第１格納手段に格納されている設定情報に基づいて起動するよう指示する指示手段と、制御手段と、を有し、
上記制御手段は、上記指示手段からの指示に基づいて、上記有線ＬＡＮコントローラ又は上記無線ＬＡＮコントローラを上記第１格納手段に格納されている設定情報に基づいて起動し、外部端末からの接続に応じて、上記第２格納手段に格納されている設定情報を上記有線ＬＡＮコントローラ又は上記無線ＬＡＮコントローラを制御することにより上記外部端末へ送信させることを特徴とするアクセスポイント。
【請求項２】
請求項１記載のアクセスポイントであり、
上記無線ＬＡＮコントローラ又は有線ＬＡＮコントローラが上記第２格納手段に格納されている設定情報を送信し、送信先から変更された設定情報を受信すると、上記変更された設定情報を上記第２格納手段に格納することを特徴とするアクセスポイント。
【請求項３】
請求項１〜２記載のアクセスポイントであり、
上記設定情報は、ＩＰアドレス、サブネットマスク及びＳＳＩＤであることを特徴とするアクセスポイント。
【請求項４】
請求項１〜３記載のアクセスポイントであり、
上記指示手段による指示タイミングは、電源オンと同時であることを特徴とするアクセスポイント。
【請求項５】
無線によるデータの送受信を行う無線ＬＡＮコントローラと、有線によるデータの送受信を行う有線ＬＡＮコントローラと、該有線ＬＡＮコントローラ及び／又は上記無線ＬＡＮコントローラを動作させる為の初期設定情報を格納する為の第１格納手段と、上記有線ＬＡＮコントローラ及び／又は上記無線ＬＡＮコントローラを動作させる為にユーザにより設定された設定情報又は初期設定情報を格納する為の第２格納手段と、上記第１格納手段に格納された設定情報で上記有線ＬＡＮコントローラ及び／又は無線ＬＡＮコントローラを動作させる為のモードスイッチと、該モードスイッチのオン又はオフ状態を示すフラグを格納する手段と、を有し、
電源投入時に上記モードスイッチがオンとなると、上記無線ＬＡＮコントローラ及び／又は上記有線ＬＡＮコントローラは上記第１格納手段に格納された設定情報により動作可能な状態となると共に上記フラグがオンとなり、一方、電源投入時に上記モードスイッチがオフであると、上記無線ＬＡＮコントローラ及び／又は上記有線ＬＡＮコントローラは上記第２格納手段に格納された設定情報により動作可能な状態となり、
上記無線ＬＡＮコントローラ及び／又は有線ＬＡＮコントローラは、外部端末から接続要求を受けた際に上記フラグがオンである場合には、上記第１格納手段及び上記第２格納手段に格納されている設定情報を上記外部端末に送信し、一方、外部端末から接続要求を受けた際に上記フラグがオフである場合には、上記第２格納手段に格納されている設定情報を上記外部端末に送信することを特徴とするアクセスポイント。
【発明の詳細な説明】
【０００１】
【発明の属する技術分野】
本発明は、無線ＬＡＮ（Ｌｏｃａｌ  Ａｒｅａ  Ｎｅｔｗｏｒｋ）に関し、特に、有線回線と無線回線の接続を中継する無線アクセスポイントに関する。
【０００２】
【従来の技術】
無線ＬＡＮ（Ｌｏｃａｌ  Ａｒｅａ  Ｎｅｔｗｏｒｋ）は、信号を無線回線を用いて転送するネットワークシステムである。
【０００３】
現在では、２．４ＧＨｚの無線周波数領域を用いた無線ＬＡＮの規格（ＩＥＥＥ８０２．１１）が標準化されており、上記ＩＥＥＥ８０２．１１に準拠したアクセスポイントを用いて無線ＬＡＮを構成すれば、約１〜２Ｍｂｐｓの通信速度で無線通信を行うことが可能である。
【０００４】
図４は無線ＬＡＮシステムの一例を示している。
【０００５】
図４の無線ＬＡＮシステムにおいて、無線通信装置（アクセスポイント）３００は、ＩＳＤＮ（Ｉｎｔｅｇｒａｔｅｄ  Ｓｅｒｖｉｃｅ  Ｄｉｇｉｔａｌ  Ｎｅｔｗｏｒｋ）等のデジタル公衆回線３１０に接続されるＴＡ（Ｔｅｒｍｉｎａｌ  Ａｄａｐｔｅｒ）３２０、又は、アナログ公衆回線３３０に接続されるモデム３４０を接続可能なシリアルポートと、ケーブルを介して他のネットワーク３５０との接続を行う為の例えば１０Ｂａｓｅ−Ｔケーブル対応コネクタを有する。
【０００６】
又、上記アクセスポイント３００は、ＰＣ３６１〜３６３に内蔵又はそのカードスロットに装着された無線モジュール３７１〜３７３と無線接続可能である。
【０００７】
従って、上記ＰＣ３６１〜３６３は、アクセスポイント３００とＴＡ３２０とデジタル公衆回線３１０とを経由、又はアクセスポイント３００とモデム３４０とアナログ公衆回線３３０を経由、或いはアクセスポイント３００とネットワーク３５０経由でインターネット３４０と接続することができる。
【０００８】
ユーザは、アクセスポイント３００を使用する前に先ずアクセスポイント３００と該アクセスポイント３００と接続されたＰＣ３６１〜３６３の情報設定を行わなければならない。
【０００９】
尚、ここでいう情報とは、ＳＳＩＤ（Ｓｅｒｖｉｃｅ  Ｓｅｔ  Ｉｄｅｎｔｉｆｉｅｒ）やＩＰ（Ｉｎｔｅｒｎｅｔ  Ｐｒｏｔｏｃｏｌ）アドレスやサブネットマスク等をいう。
【００１０】
上記ＩＰアドレスは、アクセスポイントやパソコン等の端末が有する固有の識別番号であり、３２ビットの２進数からなるが、一般のユーザの理解を容易にするために、通常“ａ．ｂ．ｃ．ｄ”（ａ〜ｄは夫々１〜３桁の１０進数）というように、最上位ビットから８ビットずつに分け、各８ビットを１０進表記に変換した形で表記される。
【００１１】
上記サブネットマスクは、自装置がどのネットワークグループに属しているかを示す番号であり、具体的には３２ビットの２進数で構成されるが、通常一般ユーザの理解を容易にするために“Ａ．Ｂ．Ｃ．Ｄ”（Ａ〜Ｄは、夫々１〜３桁の１０進数）というように最上位ビットから８ビットずつに分け、各８ビットを１０進表記に変換した形で表記される。
【００１２】
又、上記サブネットマスクは、２進数表記で３２ビット構成のＩＰアドレスの内最上位ビットからどのビットまでがネットワークアドレスであるかを示すもので、例えば、ＩＰアドレスの上位２４ビットがネットワークアドレスであるとすると、サブネットマスクは上位２４ビットが“１”で残りの８ビットは“０”となる（１０進表記で“２５５．２５５．２５５．０”）。
【００１３】
尚、ＩＰアドレスの内、ネットワークアドレスを示すビット以外のビットは、ホストアドレスを示している。
【００１４】
例えば、サブネットマスクが１０進表記で“２５５．２５５．２５４．０”と表記される端末では、ＩＰアドレスの上位２３ビットがネットワークアドレスであり、残りがホストアドレスであることを示す。
【００１５】
この為、例えばサブネットマスクが１０進表記で“２５５．２５５．２５５．０００”であると共にＩＰアドレスが１０進表記で“１９２．１６８．１００．２００”であるアクセスポイントは、サブネットマスクが１０進表記で“２５５．２５５．２５５．０００”であると共にネットワークアドレスが共通であるＩＰアドレスの端末、即ち、ＩＰアドレスの上位２４ビットの部分が１０進表記で“１９２．１６８．１００”である無線モジュールと同一のネットワークグループであり、サブネットマスクが“２５５．２５５．２５５．０００”であっても、ＩＰアドレスの上位２４ビットが１０進表記で“１９２．１６８．１００”とは異なるアドレスの場合には、異なるネットワークグループとなる。
【００１６】
上記ＳＳＩＤは、ある無線ＬＡＮグループ（例えば、図４のＰＣ３６１〜３６３とアクセスポイント３００で構成される無線ＬＡＮグループＡ）内の無線モジュール３７１〜３７３が、他の無線ＬＡＮグループのアクセスポイントと接続することを防ぐ為のものである。
【００１７】
従って、アクセスポイント３００と、該アクセスポイント３００に無線接続される無線モジュール３７１〜３７３には同一のＳＳＩＤが設定される。
【００１８】
アクセスポイント３００と無線モジュール３７１〜３７３の情報設定の手順について以下に説明する。
【００１９】
先ず、無線モジュール３７１〜３７３の情報設定は、以下の手順で行われる。
【００２０】
ＰＣ３６１〜３６３の画面上に無線モジュール３７１〜３７３の情報設定用のユーティリティーソフトを立ち上げ、図８に示す無線モジュールの設定画面を開く。この設定画面では、通信モード、ＳＳＩＤ、通信速度等を設定する欄が表示され、ユーザの設定入力により設定が行われる。尚、アクセスポイント３００とＰＣ３６１〜３６３を無線接続する為には、少なくともＳＳＩＤの設定欄に、アクセスポイント３００に設定されているＳＳＩＤと同一のＳＳＩＤを設定する必要がある。
【００２１】
次に、アクセスポイント３００の情報設定は、以下の手順で行われる。
【００２２】
尚、ここでは、アクセスポイント３００の情報設定をＰＣ３６１〜３６３のウエブブラウザを用いて設定可能な機種について説明する。
【００２３】
先ず、ＰＣ３６１〜３６３のいずれか一つにアクセスポイント３００に設定されたＳＳＩＤと同一のＳＳＩＤを設定することにより、アクセスポイント３００を無線接続し、続いて、このＰＣ画面上に、例えば、マイクロソフト社のインターネットエクスプローラ等のウエブブラウザ画面を開き、宛先のアドレス欄にアクセスポイント３００のＩＰアドレス（例えば、１０進表記で“１９２．１６８．１００．２００”）を入力する。
【００２４】
これにより、先ず図５に示す設定状況画面が表示される。図５の設定状況画面では、現在設定されているＳＳＩＤ、チャンネル番号、動作モード、アクセスポイント自身のＩＰアドレスの値が表示される。
【００２５】
ユーザが例えば図５に示す「簡単設定」をクリックすると、図６に示す設定画面へと表示が切換わる。
【００２６】
図６の設定画面では、動作モード（ブリッジモードかルータモード）の選択欄、ＳＳＩＤの設定欄、使用するチャンネル番号の設定欄が表示される。
【００２７】
尚、上記ブリッジモードは、アクセスポイント３００を単なるハブとして使用するモードであり、又、ルータモードは、アクセスポイント３００をルータとして使用するモードである。
【００２８】
ユーザが動作モードとしてルータモードを選択すべく、図６の「次へ」をクリックすると、図７に示す設定画面へと表示が切換わる。
【００２９】
図７の設定画面において、有線ＬＡＮの設定欄では、アクセスポイント３００の１０Ｂａｓｅ−Ｔケーブル対応コネクタと接続されるネットワーク上におけるアクセスポイント３００のＩＰアドレス（例えば、１０進表記で“１９２．１６８．１０．２０”）とサブネットマスク（例えば、１０進表記で“２５５．２５５．２５５．０”）を設定可能である。
【００３０】
一方、無線ＬＡＮの設定欄では、アクセスポイント３００自身のＩＰアドレス（例えば、１０進表記で“１９２．１６８．１０．２００”）とサブネットマスク（例えば、１０進表記で“２５５．２５５．２５５．０”）を設定可能である。
【００３１】
ユーザがＩＰアドレスとサブネットマスクの設定入力を行った後、図７に示す「設定」をクリックすることによりアクセスポイント３００の情報設定が完了する。
【００３２】
尚、図６の設定画面においてブリッジモードを選択した状態で「次へ」がクリックされた場合には、図７の設定画面は表示されるが、有線ＬＡＮの設定欄への入力は禁止される。
【００３３】
このように、ＰＣ３６１〜３６３画面上でウェブブラウザを用いれば、アクセスポイント３００に格納されているアクセスポイント３００自身のＩＰアドレスを宛先のアドレスとして入力するだけでアクセスポイント３００にアクセスし、アクセスポイント３００の設定内容をＰＣ３６１〜３６３画面上で表示、設定することができる。
【００３４】
尚、上記設定手段において、アクセスポイント３００の動作モードをルータモードに設定し、アクセスポイント３００を介して無線モジュールを搭載或いは接続したＰＣ３６１〜３６３からネットワーク３５０へ通信を行う際には、予めＰＣ３６１〜３６３の画面上にＴＣＰ／ＩＰプロパティ設定画面を開き、ゲートウエイの設定欄にアクセスポイントのＩＰアドレスを設定する必要がある。なぜなら、ルータモードではアクセスポイント３００は、ネットワーク３５０とＰＣ３６１〜３６３とを中継接続するゲートウエイとして機能するからであり、ＰＣ３６１〜３６３からネットワーク３５０に接続を要求する際には、まずＰＣ３６１〜３６３に登録されているアクセスポイント３００のＩＰアドレスへ接続を要求する必要があるからである。
【００３５】
その設定は、図９に示す如く、ユーザがＰＣ３６１〜３６３画面上に「ＴＣＰ／ＩＰプロパティ」を表示させ、新しいゲートウエイの欄にアクセスポイント３００のＩＰアドレスを入力することにより行われる。
【００３６】
又、アクセスポイント３００を用いてオフィス内で無線ＬＡＮを構築する場合には、通常、外部のネットワーク３５０から無線ＬＡＮ内へのアクセスの制限や、無線ＬＡＮから外部ネットワーク３５０へのアクセスの制限を行う為に、プロキシサーバを介してオフィス内の無線ＬＡＮと外部のネットワーク３５０とが接続されている。
【００３７】
この為、無線ＬＡＮ内のＰＣ３６１〜３６３からネットワーク３５０へアクセスするには、ＰＣ３６１〜３６３にプロキシサーバのＩＰアドレスを設定する必要がある。しかし、ＰＣ３６１〜３６３からアクセスポイント３００へ直接アクセスし、アクセスポイント３００の設定画面を開く為には、ＰＣ３６１〜３６３側で、上記プロキシサーバのＩＰアドレス設定と共にアクセスポイント３００へのアクセスに対してプロキシサーバを使用しないように設定する必要がある。なぜなら、この設定がなければ、ＰＣ３６１〜３６３から、アクセスポイント３００にアクセスしようとすると、ＰＣ３６１〜３６３からプロキシサーバへ一旦アクセスされ、プロキシサーバは、ネットワーク３５０の中からアクセスポイント３００のアドレスを探しアクセスしようとするからである。
【００３８】
この設定は、以下の手順によりなされる。
【００３９】
まず、例えば、マイクロソフト社のＩｎｔｅｒｎｅｔ  Ｅｘｐｌｏｒｅｒを起動し、図１０に示す表示画面をＰＣ３６１〜３６３の画面上に表示させ、ツール、インターネットオプションを順に選択する。
【００４０】
その後、「インターネットオプション」の「接続」を選択することにより、図１１に示す設定画面がＰＣ３６１〜３６３の画面上に表示される。続いて、「ＬＡＮの設定」をクリックすることにより、図１２に示すように「ローカルエリアネットワーク（ＬＡＮ）の設定」が画面上に表示される。その後、「プロキシサーバ」の欄の「詳細」をクリックすることにより、図１３に示すよう「プロキシの設定」の画面が表示され、「次で始まるアドレスにはプロキシを使用しない」の欄に、アクセスポイント３００のＩＰアドレスを入力することにより、設定が終了する。
【００４１】
【発明が解決しようとする課題】
ユーザが、一旦アクセスポイント３００のＩＰアドレスを変更した後に再度アクセスポイント３００の設定画面を開こうとする場合、変更したアクセスポイント３００のＩＰアドレスが必要となるが、これを忘れた場合には、ユーザは正確なＩＰアドレスを入力できない為、アクセスポイント３００の設定画面を開くことができない。
【００４２】
又、アクセスポイント３００をオフィス等で使用し、プロキシサーバを介して無線ＬＡＮとネットワーク３５０を接続する構成とした場合には、ＰＣ３６１〜３６３の画面上に先程述べたプロキシの設定画面を開き、図１３に示す「次で始まるアドレスにはプロキシを使用しない」の欄に設定されているアクセスポイント３００のＩＰアドレスを参照することにより、アクセスポイント３００の設定画面を開くことができる。
【００４３】
一方、アクセスポイント３００を家庭内で使用する場合には、プロキシサーバを介さずに家庭内の無線ＬＡＮと外部のネットワーク３５０とが接続されている為、プロキシサーバの設定を行う必要がなく、上記プロキシサーバのＩＰアドレス設定がなされていなければ上記「プロキシの設定」の画面を表示できない為、「プロキシの設定」画面の「次で始まるアドレスにはプロキシを使用しない」の欄に記載されているアクセスポイント３００のＩＰアドレスを参照して、アクセスポイント３００の設定画面を開くことができない。
【００４４】
更に、アクセスポイント３００をルータモードで動作させる場合には、予めＰＣ３６１〜３６３側においてＴＣＰ／ＩＰプロパティのゲートウエイ設定欄に設定されているアクセスポイント３００のＩＰアドレスを参照することにより、アクセスポイント３００のＩＰアドレスを忘れた場合でもアクセスポイント３００の設定画面を開くことが可能である。
【００４５】
しかし、ユーザの入力ミスにより、アクセスポイント３００に設定したアクセスポイント３００自身のＩＰアドレスと上記ゲートウエイ設定欄に設定したアクセスポイント３００のＩＰアドレスとが異なっている場合には、ゲートウエイ設定欄のＩＰアドレスを参照しても、アクセスポイント３００の設定画面を開くことができない。
【００４６】
そこで、アクセスポイント３００の設定情報を初期化し、ユーザがウェブブラウザ上でアクセスポイント３００のＩＰアドレスの初期値を入力することにより、アクセスポイント３００と無線モジュール３７１〜３７３とを接続することも考えられる。
【００４７】
しかし、初期化するとアクセスポイント３００に格納されているＩＰアドレス、ＳＳＩＤ、動作モード、暗号（例えば、データを暗号化する為の半角英数字で最大３２文字のキー文字列）、設定画面を開く際に入力しなければ設定画面を開けないようにする為のパスワード、ＭＡＣアドレスフィルタリングの設定（アクセスを許可したい端末のＭＡＣアドレスを設定可能）等、多数の設定情報が消去されてしまう。
【００４８】
一旦設定した多数の設定内容をユーザが全て憶えるのは困難である為、再度同じ設定条件でアクセスポイント３００と無線モジュール３７１〜３７３を接続することは難しい。
【００４９】
【課題を解決するための手段】
本発明はこのような課題を解決する為のものであり、ユーザがアクセスポイントのＩＰアドレスを忘れたり、誤って情報を設定した場合でも設定画面を開くことが可能なアクセスポイントを提供するものである。
【００５０】
請求項１記載のアクセスポイントは、ネットワーク同士を接続するためのアクセスポイントであって、ＰＣやネットワークと接続可能な有線ＬＡＮコントローラと、無線モジュールと接続可能な無線ＬＡＮコントローラと、上記有線ＬＡＮコントローラ又は上記無線ＬＡＮコントローラを制御する為の接続先アドレスを含む初期の設定情報を格納する第１格納手段と、ユーザによって接続先アドレスが変更された上記設定情報を格納する第２格納手段と、上記有線ＬＡＮコントローラ又は上記無線ＬＡＮコントローラを上記第１格納手段に格納されている設定情報に基づいて起動するよう指示する指示手段と、制御手段と、を有し、
上記制御手段は、上記指示手段からの指示に基づいて、上記有線ＬＡＮコントローラ又は上記無線ＬＡＮコントローラを上記第１格納手段に格納されている設定情報に基づいて起動し、外部端末からの接続に応じて、上記第２格納手段に格納されている設定情報を上記有線ＬＡＮコントローラ又は上記無線ＬＡＮコントローラを制御することにより上記外部端末へ送信させることを特徴とする。
【００５１】
【発明の実施の形態】
図１は、図５に示すアクセスポイント３００に本発明を適用してなる実施例装置を示すブロック図である。
【００５２】
図１において、制御部１０は、マイクロコンピュータからなり、後述する第１格納部５０に格納されているシステムプログラムに基づいて以下で説明する各回路の制御を司る。
【００５３】
無線ＬＡＮコントローラ２０はアンテナ２５と接続され、ＰＣ３６１〜３６３に内蔵又は装着された無線モジュール３７１〜３７３との間でＩＥＥＥ８０２．１１に準拠して無線信号の送受信を行う。
【００５４】
有線ＬＡＮコントローラ３０は、例えば１０Ｂａｓｅ−Ｔケーブル等のＬＡＮケーブルと接続する為の有線ＬＡＮコネクタ４０と接続され、制御部１０の制御に基づいて、ケーブルを介して接続されたネットワーク３５０の通信端末との通信処理をＩＥＥＥ８０２．３に準拠した通信機能を用いて行う。
【００５５】
第１格納部５０は例えば不揮発性のフラッシュメモリからなる。
【００５６】
図２は、上記第１格納部５０に格納されたデータを模式的に示している。
【００５７】
上記第１格納部５０は、図２に示す３つの格納部を有しており、第１領域（ａ）には設定情報のデフォルト値（初期設定値）が、第２領域（ｂ）には上記図５〜図９を用いて説明した方法によりユーザが設定した設定情報が、第３領域（ｃ）にはシステムプログラム等が格納される。
【００５８】
第１領域（ａ）には、初期設定値である仮のＳＳＩＤ（例えば、ＷＬＮ−ＡＰ）と、チャンネル番号（例えば、１２）と、自身の仮のＩＰアドレス（例えば、１０進表記で“１９２．１６８．１００．２００”）及びサブネットマスク（例えば、１０進表記で“２５５．２５５．２５５．０”）と、コネクタ４０と接続されるネットワークのＩＰアドレス（例えば、１０進表記で“１９２．１６８．１０．２００”）及びサブネットマスク（例えば、１０進表記で“２５５．２５５．２５５．０”）と、アクセスポイント３００の動作モード（例えば、ブリッジモード）が予め格納されている。
【００５９】
第２領域（ｂ）には、ユーザが設定したＳＳＩＤ(例えばＡＰＮ１１１)と、チャンネル番号（例えば、６）と、自身のＩＰアドレス（例えば、１０進表記で“１０．１９．４５．１１”）及びサブネットマスク（例えば、１０進表記で“２５５．２５５．０．０”）と、コネクタ４０と接続されるネットワーク側のＩＰアドレス（例えば、１０進表記で“２０．３０．４０．５０”）及びサブネットマスク（例えば、１０進表記で“２５５．２５５．０．０”）と、暗号化データ（例えば、ＹＡＭＡＫＡＷＡ）と、アクセスポイント３００の動作モード（例えば、ルータモード）が格納される。
【００６０】
尚、工場出荷時には、上記第２領域（ｂ）には上記第１領域（ｂ）に格納されている初期設定値が格納される。
【００６１】
第２格納部６０は、例えば半導体ＲＡＭ（Ｒａｎｄｏｍ  Ａｃｃｅｓｓ  Ｍｅｍｏｒｙ）からなり、制御部１０で処理される各種データや、電源投入時に後述するモード切換スイッチ１００が押下されたか否かを示すフラグ、即ち、制御部１０が、第１格納部５０の第１領域（ａ）に格納されている設定情報に基づいて無線ＬＡＮコントローラ２０を制御する状態にあるか否かを示すフラグが格納されており、電源投入時点で、上記モード切換スイッチ１００が押下されると、上記フラグはオンとなる。又、電源オフ時点で、上記モードフラグデータは消去され、再度電源投入する際には、モードフラグがオフとなる。
【００６２】
ＲＳ−２３２Ｃコントローラ７０は、シリアルポート８０と接続され、制御部１０の制御の下にシリアルポート８０を介して信号の送受信を行う。
【００６３】
電源スイッチ９０は、装置内部の各回路に電源を供給開始する為のスイッチである。
【００６４】
モード切換スイッチ１００は、電源投入後、第１格納部５０の第１領域（ａ）又は第２領域（ｂ）に格納されているいずれの設定情報に基づいて無線ＬＡＮコントローラ２０を制御するかを指示する為のスイッチである。
【００６５】
図３は、本実施例装置の動作を示すフロー図である。
【００６６】
以下では、このフロー図を用いて本実施例装置の動作について説明する。
【００６７】
尚、図３に示す動作の実行前に、予め上記図８で示した設定方法で無線モジュール３７１〜３７３にアクセスポイント３００と同じＳＳＩＤを設定する。これにより、後述するＳ８、Ｓ１０、Ｓ１１ステップにおいて無線モジュール３７１〜３７３とアクセスポイント３００が無線接続可能となる。又、アクセスポイント３００の動作モードをルータモードとしているならば、予め上記図９を用いて説明した手順でＰＣ３６１〜３６３にゲートウエイのアドレスとしてアクセスポイント３００のＩＰアドレスを設定すると共に、予め上記図１０〜１３を用いて説明した手順で、ＰＣ３６１〜３６３にプロキシサーバを介さずにアクセスするアドレスとしてアクセスポイント３００のＩＰアドレスを設定する。
【００６８】
図３のＳ１ステップでは、電源スイッチ９０がオンされるとＳ２ステップへ処理を進める。
【００６９】
具体的には、電源スイッチ９０がオンされ、制御部１０に駆動電圧が供給されると、制御部１０はイニシャルリセットされ、上記第１格納部５０に格納されているシステムプログラムに基づいて図３に示すフローの動作を開始する。
【００７０】
Ｓ２ステップでは、制御部１０は、上記イニシャルリセット時点でモード切換スイッチ１００がオンされていると判定すると、Ｓ３ステップへ処理を進め、そうでなければＳ５ステップへ処理を進める。
【００７１】
Ｓ３ステップでは、制御部１０は、第１格納部５０の第１領域（ａ）に格納されているデータに基づいてＰＣ３６１〜３６３との接続を行うよう待機し、Ｓ４ステップへ処理を進める。具体的には、以降のステップにおいて、制御部１０は、第１格納部５０の第１領域（ａ）に格納されている初期設定情報に基づいて有線ＬＡＮコントローラ３０、無線ＬＡＮコントローラ２０、ＲＳ２３２Ｃコントローラ７０を制御し、接続処理を行う。
【００７２】
尚、この際には、ＰＣ３６１〜３６３側の無線モジュール３７１〜３７３のＳＳＩＤ等を上記第１領域（ａ）に格納されているデータと同じデータに設定し直す必要があることは説明するまでもない。
【００７３】
続くＳ４ステップでは、制御部１０は、第２格納部６０に格納されているフラグをオンし、Ｓ６ステップへ処理を進める。
【００７４】
Ｓ５ステップでは、制御部１０は、第１格納部５０の第２領域（ｂ）に格納されているデータに基づいて無線モジュール３７１〜３７３及びネットワーク３５０等との接続を行うよう待機し、Ｓ６ステップへ処理を進める。具体的には、以降のステップにおいて、制御部１０は、第１格納部５０の第２領域（ｂ）に格納されている設定情報に基づいて有線ＬＡＮコントローラ３０、無線ＬＡＮコントローラ２０、ＲＳ２３２Ｃコントローラ７０を制御し、接続処理を行い、Ｓ６ステップへ処理を進める。
【００７５】
Ｓ６ステップでは、ＰＣ３６１〜３６３から接続要求があるか否かを判定している。
【００７６】
具体的には、制御部１０は、無線ＬＡＮコントローラ２０が、無線モジュール３７１〜３７３からＰＣ３７１〜３７３のＩＰアドレスと宛先のＩＰアドレスを示すデータを受信したと判定すると、Ｓ７ステップへ処理を進め、そうでなければ、Ｓ１３ステップへ処理を進める。
【００７７】
Ｓ７ステップでは、制御部１０は、ＰＣから受信した宛先のＩＰアドレスが、第１格納部５０に格納されている無線モジュールのＩＰアドレス、即ち、アクセスポイント自身のＩＰアドレスと一致すると判定すると、Ｓ９ステップへ処理を進め、一方、そうでない場合には、Ｓ８ステップへ処理を進める。
【００７８】
尚、上記Ｓ７ステップ及び以下で説明するＳ９〜Ｓ１２ステップの処理は、ＰＣ３７１〜３７３からアクセスポイント３００へ設定情報の表示を要求する場合の処理であり、一方、上記Ｓ７ステップからＳ８ステップへの処理は、アクセスポイント３００がルータとして動作し、アクセスポイント３００を介してＰＣ３７１〜３７３から他のＰＣ３７１〜３７３又はネットワーク３５０に接続する場合の処理である。
【００７９】
Ｓ８ステップでは、制御部１０は、アクセスポイント３００をルータとして動作させる処理を行う。具体的には、制御部１０が、無線ＬＡＮコントローラ２０又は有線ＬＡＮコントローラ３０を制御することにより、無線モジュール３７１〜３７３から受信した宛先のアドレスに接続し、ＰＣ３６１〜３６３と宛先との間に通信路を形成して所定の通信を行い、その後、Ｓ１３ステップへ処理を進める。
【００８０】
Ｓ９ステップでは、制御部１０は、第１格納部５０に格納されているフラグが“１”であると判定すると、Ｓ１０ステップへ処理を進め、そうでなければＳ１１ステップへ処理を進める。
【００８１】
Ｓ１０ステップでは、制御部１０は、無線ＬＡＮコントローラ２０を制御することにより、第１格納部５０の第１領域（ａ）及び第２領域（ｂ）に格納されている設定情報を上記Ｓ６ステップで接続要求してきたＰＣへ送信させ、Ｓ１２ステップへ処理を進める。
【００８２】
Ｓ１１ステップでは、制御部１０は、無線ＬＡＮコントローラ２０を制御することにより、第１格納部５０の第１領域（ａ）に格納されている設定情報を上記Ｓ６ステップで接続要求してきたＰＣへ送信させ、Ｓ１２ステップへ処理を進める。
【００８３】
Ｓ１２ステップでは、制御部１０は、無線モジュール３７１〜３７３から送信されてくる設定変更された情報を第１格納部５０に格納する動作等を行い、それが終了するとＳ１３ステップへ処理を進める。
【００８４】
続くＳ１３ステップでは、制御部１０は、電源スイッチ９０がオフされたと判定すると処理を終了すると共に第２格納部６０に格納されているフラグデータが消去され、電源オン状態が維持されていると判定するとＳ６ステップへ処理を戻す。
【００８５】
このように、本実施例では、ユーザがアクセスポイント３００の情報設定を行う際に、Ｓ１、Ｓ２ステップにおいて、電源オンと同時にモード切換スイッチ１００がオンとなると、Ｓ７ステップにおいて、制御部１０が、第１格納部５０の第１領域（ａ）に格納されているデフォルト値を自身の設定情報として、無線ＬＡＮコントローラ２０、有線ＬＡＮコントローラ３０、ＲＳ２３２Ｃコントローラ７０を制御する為、ユーザは、アクセスポイント３００のＩＰアドレスのデフォルト値を用いて、ＰＣ３６１〜３６３からアクセスポイント３００に接続することが可能である。
【００８６】
この為、ユーザは、アクセスポイント３００のＩＰアドレスを忘れた場合や、ＩＰアドレスの入力をミスした場合でも、ウェブ画面上に第１格納部５０に格納されている設定情報を表示させ、設定情報を変更することが可能である。
【００８７】
又、ウエブ画面上にユーザが設定した設定情報を表示する為、ユーザが、モード切換スイッチ１００を操作する前に設定した情報を確認することができ、更に表示されている設定値を変更することが可能である。
【００８８】
【発明の効果】
本発明のアクセスポイントでは、ユーザがアクセスポイントのＩＰアドレスを忘れたり、設定時に入力ミスをした場合でも、ＰＣ画面上にユーザが設定した設定情報を確認することができる。
【図面の簡単な説明】
【図１】本発明を適用してなる実施例装置のブロック図である。
【図２】第１格納部５０に格納されているデータの格納形態図である。
【図３】本実施例装置の動作を示すフロー図である。
【図４】無線ＬＡＮシステムの一例を示す模式図である。
【図５】アクセスポイント３００の設定画面を示す模式図である。
【図６】アクセスポイント３００の設定画面を示す模式図である。
【図７】アクセスポイント３００の設定画面を示す模式図である。
【図８】ＰＣの設定画面を示す模式図である。
【図９】ＰＣの設定画面を示す模式図である。
【図１０】ＰＣの設定画面を示す模式図である。
【図１１】ＰＣの設定画面を示す模式図である。
【図１２】ＰＣの設定画面を示す模式図である。
【図１３】ＰＣの設定画面を示す模式図である。
【符号の説明】
１０  制御部
２０  無線ＬＡＮコントローラ
３０  有線ＬＡＮコントローラ
５０  第１格納部
６０  第２格納部
７０  ＲＳ−２３２Ｃコントローラ
８０  シリアルポート
９０  電源スイッチ
１００  モード切換スイッチ
【図１】
0003717821.tif 000002
【図２】
0003717821.tif 000003
【図３】
0003717821.tif 000004
【図４】
0003717821.tif 000005
【図５】
0003717821.tif 000006
【図６】
0003717821.tif 000007
【図７】
0003717821.tif 000008
【図８】
0003717821.tif 000009
【図９】
0003717821.tif 000010
【図１０】
0003717821.tif 000011
【図１１】
0003717821.tif 000012
【図１２】
0003717821.tif 000013
【図１３】
0003717821.tif 000014